【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第1のデバイスにおいて、受信デバイスに関連する位相雑音基準を識別するステップと、
前記第1のデバイスにおいて、前記第1のデバイスのコンポーネント構成に少なくとも部分的に基づいて、前記第1のデバイスに関連する送信機位相雑音基準を識別するステップと、
前記第1のデバイスにおいて、前記識別された位相雑音基準、および前記識別された送信機位相雑音基準に少なくとも部分的に基づいて、前記受信デバイスに送信するための、互いに隣接する複数のパイロットトーン、および複数のヌルトーンを選択するステップであって、前記複数のヌルトーンが、周波数領域内の前記パイロットトーンに隣接し、前記パイロットトーンの両側にある、ステップと
を含む、方法。
【請求項２】
データシンボル送信の間に、前記複数のパイロットトーンおよび前記複数の隣接ヌルトーンを前記第1のデバイスから送信するステップ
をさらに含む、請求項1に記載の方法。
【請求項３】
互いに隣接する前記複数のパイロットトーン、および前記複数の隣接ヌルトーンが、前記データシンボルに関連する位相雑音を決定する際に使用するための信号を提供する、請求項2に記載の方法。
【請求項４】
互いに隣接する前記複数のパイロットトーン、および前記複数の隣接ヌルトーンの少なくとも一部のロケーションを前記周波数領域内で調整するステップ
をさらに含む、請求項1に記載の方法。
【請求項５】
前記受信デバイスに関連するカテゴリーを決定するステップと、
前記カテゴリーに少なくとも部分的に基づいて、前記位相雑音基準を識別するステップと
をさらに含む、請求項1に記載の方法。
【請求項６】
前記カテゴリーが、マシンタイプ通信(MTC)デバイス、またはマシンツーマシン(M2M)デバイス、またはレガシーデバイス、または高スループット(HT)デバイス、または超高スループット(VHT)デバイス、または装着型デバイスのうちの少なくとも1つ、またはそれらの組合せを含む、請求項5に記載の方法。
【請求項７】
前記受信デバイスに関連する識別子(ID)フィールドを決定するステップと、
前記IDフィールドに少なくとも部分的に基づいて、前記ヌルトーンの数を選択するステップと
をさらに含む、請求項1に記載の方法。
【請求項８】
前記受信デバイスに関連する変調およびコーディング方式(MCS)を決定するステップと、
前記MCSに少なくとも部分的に基づいて、前記ヌルトーンの数を選択するステップと
をさらに含む、請求項1に記載の方法。
【請求項９】
前記受信デバイスに関連する干渉レベルを決定するステップと、
前記干渉レベルに少なくとも部分的に基づいて、前記位相雑音基準を識別するステップと
をさらに含む、請求項1に記載の方法。
【請求項１０】
複数の受信デバイスの各々に関する位相雑音基準を識別するステップと、
互いに隣接する前記複数のパイロットトーンを前記複数の受信デバイスの各々に送信するステップであって、前記複数のパイロットトーンが前記複数の隣接ヌルトーンに関連し、各受信デバイスに関する前記複数の隣接ヌルトーンが、前記受信デバイスに関連する前記位相雑音基準に少なくとも部分的に基づいて選択される、ステップと
をさらに含む、請求項1に記載の方法。
【請求項１１】
各受信デバイスに関連するチャネル選択性基準に少なくとも部分的に基づいて、互いに隣接する前記パイロットトーン、および各受信デバイスに関する前記隣接ヌルトーンの数を選択するステップ
をさらに含む、請求項10に記載の方法。
【請求項１２】
各受信デバイスに対する送信のシンボルインデックスに少なくとも部分的に基づいて、互いに隣接する前記複数のパイロットトーン、および各受信デバイスに関する前記隣接ヌルトーンのロケーションを選択するステップ
をさらに含む、請求項10に記載の方法。
【請求項１３】
前記受信デバイスが、送信デバイスによって送信された前記複数のパイロットトーンおよび前記ヌルトーンを識別し、
前記受信デバイスが送信の役割を担うとき、前記識別された情報が、前記複数のパイロットトーンおよび前記ヌルトーンを選択する際に利用される、請求項1に記載の方法。
【請求項１４】
前記第1のデバイスが、ユーザ機器(UE)、またはマシンタイプ通信(MTC)デバイス、またはマシンツーマシン(M2M)デバイスのうちの少なくとも1つ、またはそれらの組合せを含む、請求項1に記載の方法。
【請求項１５】
前記ワイヤレス通信のシステムがミリメートル波(mmW)ワイヤレス通信システムである、請求項1に記載の方法。
【請求項１６】
前記受信デバイスに送信するための、前記互いに隣接する複数のパイロットトーン、および前記複数のヌルトーンを選択することが、チャネル選択性基準に少なくとも部分的に基づく、請求項1に記載の方法。
【請求項１７】
ワイヤレス通信のための装置であって、
プロセッサと、
前記プロセッサと電子通信しているメモリと、
前記メモリに記憶された命令と
を含み、前記命令は、前記装置に、
第1のデバイスにおいて、受信デバイスに関連する位相雑音基準を識別することと、
前記第1のデバイスにおいて、前記第1のデバイスのコンポーネント構成に少なくとも部分的に基づいて、前記第1のデバイスに関連する送信機位相雑音基準を識別することと、
前記第1のデバイスにおいて、前記識別された位相雑音基準、および前記識別された送信機位相雑音基準に少なくとも部分的に基づいて、前記受信デバイスに送信するための、互いに隣接する複数のパイロットトーン、および複数のヌルトーンを選択することであって、前記複数のヌルトーンが、周波数領域内の前記パイロットトーンに隣接し、前記パイロットトーンの両側にある、選択することと
を行わせるように前記プロセッサによって実行可能である、装置。
【請求項１８】
前記命令は、前記装置に、
データシンボル送信の間に、互いに隣接する前記複数のパイロットトーン、および前記複数の隣接ヌルトーンを前記第1のデバイスから送信する
ことをさらに行わせるように前記プロセッサによって実行可能である、請求項17に記載の装置。
【請求項１９】
互いに隣接する前記複数のパイロットトーン、および前記複数の隣接ヌルトーンが、前記データシンボルに関連する位相雑音を決定する際に使用するための信号を提供する、請求項18に記載の装置。
【請求項２０】
前記命令は、前記装置に、
前記複数のパイロットトーンおよび前記複数の隣接ヌルトーンの少なくとも一部のロケーションを前記周波数領域内で調整する
ことをさらに行わせるように前記プロセッサによって実行可能である、請求項17に記載の装置。
【請求項２１】
前記命令は、前記装置に、
前記受信デバイスに関連するカテゴリーを決定することと、
前記カテゴリーに少なくとも部分的に基づいて、前記位相雑音基準を識別することと
をさらに行わせるように前記プロセッサによって実行可能である、請求項17に記載の装置。
【請求項２２】
前記カテゴリーが、マシンタイプ通信(MTC)デバイス、またはマシンツーマシン(M2M)デバイス、またはレガシーデバイス、または高スループット(HT)デバイス、または超高スループット(VHT)デバイス、または装着型デバイスのうちの少なくとも1つ、またはそれらの組合せを含む、請求項21に記載の装置。
【請求項２３】
前記命令は、前記装置に、
前記受信デバイスに関連する識別子(ID)フィールドを決定することと、
前記IDフィールドに少なくとも部分的に基づいて、前記ヌルトーンの数を選択することと
をさらに行わせるように前記プロセッサによって実行可能である、請求項17に記載の装置。
【請求項２４】
前記命令は、前記装置に、
前記受信デバイスに関連する変調およびコーディング方式(MCS)を決定することと、
前記MCSに少なくとも部分的に基づいて、前記ヌルトーンの数を選択することと
をさらに行わせるように前記プロセッサによって実行可能である、請求項17に記載の装置。
【請求項２５】
前記命令は、前記装置に、
前記受信デバイスに関連する干渉レベルを決定することと、
前記干渉レベルに少なくとも部分的に基づいて、前記位相雑音基準を識別することと
をさらに行わせるように前記プロセッサによって実行可能である、請求項17に記載の装置。
【請求項２６】
前記命令は、前記装置に、
複数の受信デバイスの各々に関する位相雑音基準を識別することと、
互いに隣接する前記複数のパイロットトーンを前記複数の受信デバイスの各々に送信することであって、前記複数のパイロットトーンが前記複数の隣接ヌルトーンに関連し、各受信デバイスに関する前記複数の隣接ヌルトーンが、前記受信デバイスに関連する前記位相雑音基準に少なくとも部分的に基づいて選択される、送信することと
をさらに行わせるように前記プロセッサによって実行可能である、請求項17に記載の装置。
【請求項２７】
前記命令は、前記装置に、
各受信デバイスに関連するチャネル選択性基準に少なくとも部分的に基づいて、互いに隣接する前記パイロットトーン、および各受信デバイスに関する前記隣接ヌルトーンの数を選択すること
をさらに行わせるように前記プロセッサによって実行可能である、請求項26に記載の装置。
【請求項２８】
ワイヤレス通信のための装置であって、
第1のデバイスにおいて、受信デバイスに関連する位相雑音基準を識別するための手段と、
前記第1のデバイスにおいて、前記第1のデバイスのコンポーネント構成に少なくとも部分的に基づいて、前記第1のデバイスに関連する送信機位相雑音基準を識別するための手段と、
前記第1のデバイスにおいて、前記識別された位相雑音基準、および前記識別された送信機位相雑音基準に少なくとも部分的に基づいて、前記受信デバイスに送信するための、互いに隣接する複数のパイロットトーン、および複数のヌルトーンを選択するための手段であって、前記複数のヌルトーンが、周波数領域内の前記パイロットトーンに隣接し、前記パイロットトーンの両側にある、手段と
を含む、装置。
【請求項２９】
データシンボル送信の間に、互いに隣接する前記複数のパイロットトーン、および前記複数の隣接ヌルトーンを前記第1のデバイスから送信するための手段をさらに含む、請求項28に記載の装置。
【請求項３０】
ワイヤレス通信のためのコンピュータ実行可能コードを記憶した非一時的コンピュータ可読記録媒体であって、前記コードが、
第1のデバイスにおいて、受信デバイスに関連する位相雑音基準を識別することと、
前記第1のデバイスにおいて、前記第1のデバイスのコンポーネント構成に少なくとも部分的に基づいて、前記第1のデバイスに関連する送信機位相雑音基準を識別することと、
前記第1のデバイスにおいて、前記識別された位相雑音基準、および前記識別された送信機位相雑音基準に少なくとも部分的に基づいて、前記受信デバイスに送信するために、互いに隣接する複数のパイロットトーン、および複数のヌルトーンを選択することであって、前記複数のヌルトーンが、周波数領域内の前記パイロットトーンに隣接し、前記パイロットトーンの両側にある、選択することと
を行うようにプロセッサによって実行可能である命令を含む、非一時的コンピュータ可読記録媒体。